(57)【要約】【課題】  携帯性、作業性および汎用性に優れる携帯用スタンドを提供する。【解決手段】  ベース部材１０と、ベース部材１０を挟んで両側に配置される第１の支持部材２０および第２の支持部材３０とを備え、ベース部材１０は、第１の支持部材２０および第２の支持部材３０がそれぞれ平面視で同一の方向に沿って移動可能に挿通される第１の挿通部１２および第２の挿通部１４を有し、第１の支持部材２０および第２の支持部材３０は、それぞれ移動方向に沿って湾曲する第１の湾曲部２２および第２の湾曲部３２を有しており、第１の湾曲部２２および第２の湾曲部３２をそれぞれ第１の挿通部１２および第２の挿通部１４に通過させることにより、第１の支持部材２０および第２の支持部材３０がベース部材１０の両側にそれぞれ起立して被支持物を支持できるように構成した携帯用スタンド。【選択図】  図１
0003174790.tif 000002
【実用新案登録請求の範囲】
【請求項１】
ベース部材と、前記ベース部材を挟んで両側に配置される第１の支持部材および第２の支持部材とを備え、
前記ベース部材は、第１の支持部材および第２の支持部材がそれぞれ平面視で同一の方向に沿って移動可能に挿通される第１の挿通部および第２の挿通部を有し、
前記第１の支持部材および第２の支持部材は、それぞれ移動方向に沿って湾曲する第１の湾曲部および第２の湾曲部を有しており、
前記第１の湾曲部および第２の湾曲部をそれぞれ前記第１の挿通部および第２の挿通部に通過させることにより、前記第１の支持部材および第２の支持部材が前記ベース部材の両側にそれぞれ起立して被支持物を支持できるように構成した携帯用スタンド。
【請求項２】
前記第１の支持部材および第２の支持部材は、いずれも棒材をＵ字状に湾曲させたＵ字状部材からなり、Ｕ字状の開口が互いに逆向きとなるように配置されており、
前記第１の湾曲部および第２の湾曲部は、それぞれ第１の支持部材および第２の支持部材のＵ字状の両端部に形成されている請求項１に記載の携帯用スタンド。
【請求項３】
前記ベース部材は、棒材をＵ字状に湾曲させたＵ字状部材からなり、
前記第１の挿通部および第２の挿通部は、前記ベース部材のＵ字状の両端部に設けられている請求項２に記載の携帯用スタンド。
【請求項４】
前記ベース部材は、第１の支持部材および第２の支持部材の移動方向を挟んだ両側を保持する一対の保持部材を備える請求項１から３のいずれかに記載の携帯用スタンド。
【考案の詳細な説明】
【技術分野】
【０００１】
本考案は、携帯用スタンドに関する。
【背景技術】
【０００２】
従来の携帯用スタンドとして、例えば、特許文献１に開示された自転車用スタンドが知られている。この自転車用スタントは、一対のコ字状部材の両端部同士が連結部材により回動可能に連結されており、各連結部材にはそれぞれ支持アームの基端部が取り付けられている。各支持アームの先端には、自転車の車軸端部に着脱可能な支持部が設けられており、自転車の後輪を挟み込むように各支持アームを自転車の車軸に取り付けて、一対のコ字状部材を互いに拡がるように回動させることで、自転車を起立状態に支持することができる。一方、不使用時には、一対のコ字状部材を閉じると共に各支持アームを回動させることにより、折り畳んで持ち運ぶことができる。
【先行技術文献】
【特許文献】
【０００３】
【特許文献１】特開２００５−８０３６号公報
【考案の概要】
【考案が解決しようとする課題】
【０００４】
ところが、上記従来の自転車用スタンドは、使用時に各支持アームを自転車に取り付ける必要があるため、確実に取り付けるための構造や作業が煩雑になるだけでなく、取り付け可能な自転車のサイズや形状の制約を受け易いという問題があった。
【０００５】
そこで、本考案は、携帯性、作業性および汎用性に優れる携帯用スタンドの提供を目的とする。
【課題を解決するための手段】
【０００６】
本考案の前記目的は、ベース部材と、前記ベース部材を挟んで両側に配置される第１の支持部材および第２の支持部材とを備え、前記ベース部材は、第１の支持部材および第２の支持部材がそれぞれ平面視で同一の方向に沿って移動可能に挿通される第１の挿通部および第２の挿通部を有し、前記第１の支持部材および第２の支持部材は、それぞれ移動方向に沿って湾曲する第１の湾曲部および第２の湾曲部を有しており、前記第１の湾曲部および第２の湾曲部をそれぞれ前記第１の挿通部および第２の挿通部に通過させることにより、前記第１の支持部材および第２の支持部材が前記ベース部材の両側にそれぞれ起立して被支持物を支持できるように構成した携帯用スタンドにより達成される。
【０００７】
この携帯用スタンドにおいて、前記第１の支持部材および第２の支持部材は、いずれも棒材をＵ字状に湾曲させたＵ字状部材からなり、Ｕ字状の開口が互いに逆向きとなるように配置されていることが好ましく、前記第１の湾曲部および第２の湾曲部は、それぞれ第１の支持部材および第２の支持部材のＵ字状の両端部に形成されていることが好ましい。この構成において、前記ベース部材は、棒材をＵ字状に湾曲させたＵ字状部材からなり、前記第１の挿通部および第２の挿通部は、前記ベース部材のＵ字状の両端部に設けられていることが好ましい。
【０００８】
また、前記ベース部材は、第１の支持部材および第２の支持部材の移動方向を挟んだ両側を保持する一対の保持部材を備えることが好ましい。
【考案の効果】
【０００９】
本考案によれば、携帯性、作業性および汎用性に優れる携帯用スタンドを提供することができる。
【図面の簡単な説明】
【００１０】
【図１】本考案の一実施形態に係る携帯用スタンドの使用時の状態を示す斜視図である。
【図２】図１に示す携帯用スタンドの不使用時の状態を示す斜視図である。
【図３】図１に示す携帯用スタンドの使用方法を説明するための側面図である。
【図４】図１に示す携帯用スタンドの他の使用状態を示す斜視図である。
【考案を実施するための形態】
【００１１】
以下、本考案の一実施形態について添付図面を参照しつつ説明する。図１および図２は、本考案の一実施形態に係る携帯用スタンドの斜視図であり、図１は使用時の状態を示し、図２は不使用時の状態を示している。図１および図２に示すように、携帯用スタンド１は、ベース部材１０と、第１の支持部材２０と、第２の支持部材３０とを備えて構成されている。この携帯用スタンド１は、自転車用のスタンドとして好適に使用することができる。
【００１２】
ベース部材１０は、中実または中空の棒材をＵ字状に湾曲させたＵ字状部材からなり、Ｕ字状の両端部には、第１の挿通部１２，１２および第２の挿通部１４，１４が設けられている。第１の挿通部１２，１２および第２の挿通部１４，１４は、いずれもリング状部材からなり、第１の挿通部１２，１２はベース部材１０の上側に溶接等で固定される一方、第２の挿通部１４，１４はベース部材１０の下側に固定されている。ベース部材１０の両側には、基部（Ｕ字状の底部）１６の近傍からＵ字状の両端部まで延びる一対の保持部材１８，１８が設けられている。
【００１３】
第１の支持部材２０および第２の支持部材３０は、ベース部材１０と同様に棒材をＵ字状に湾曲させたＵ字状部材からなり、ベース部材１０と同様の大きさ・形状を有している。第１の支持部材２０および第２の支持部材３０は、ベース部材１０の上側および下側にそれぞれ設けられ、それぞれの長手方向がベース部材１０の長手方向に一致しており、ベース部材１０のＵ字状の開口に対して、第１の支持部材２０のＵ字状の開口は同じ向きとなる一方、第２の支持部材３０のＵ字状の開口は逆向きとなるように配置されている。
【００１４】
第１の支持部材２０におけるＵ字状の両端部には、図２に示すように第１の支持部材２０がベース部材１０に沿った状態で斜め上方に湾曲する第１の湾曲部２２，２２が形成されており、それぞれベース部材１０の第１の挿通部１２，１２に挿通されている。第１の湾曲部２２，２２の先端には拡径された抜止部２４，２４が形成される一方、第１の湾曲部２２，２２の近傍における基部（Ｕ字状の底部）２６側には突部２８，２８が形成されており、抜止部２４，２４と突部２８，２８との間で、第１の挿通部１２，１２が第１の支持部材２０に対して相対移動可能とされている。
【００１５】
第２の支持部材３０におけるＵ字状の両端部には、図２に示すように第２の支持部材３０がベース部材１０に沿った状態で斜め下方に湾曲する第２の湾曲部３２，３２が形成されており、それぞれベース部材１０の第２の挿通部１４，１４に挿通されている。第２の湾曲部３２，３２の先端には拡径された抜止部３４，３４が形成されており、抜止部３４，３４と基部（Ｕ字状の底部）３６との間で、第２の挿通部１４，１４が第２の支持部材３０に対して相対移動可能とされている。
【００１６】
このように、第１の支持部材２０および第２の支持部材３０は、平面視で同一の方向に沿って移動可能となるように、それぞれ第１の挿通部１２，１２および第２の挿通部１４，１４に挿通されている。
【００１７】
上記の構成を備える携帯用スタンド１は、不使用時には、図２に示すように、第１の挿通部１２，１２を第１の湾曲部２２，２２よりも基部２６側に位置させると共に、第２の挿通部１４，１４についても基部３６の近傍に位置させる。これにより、第１の支持部材２０および第２の支持部材３０がベース部材１０に沿って配置され、それぞれが積み重ねられたコンパクトな状態にすることができるので、持ち運びを容易にすることができる。ベース部材１０は、第１の支持部材２０および第２の支持部材３０の移動方向を挟んだ両側を保持する一対の保持部材１８，１８を備えているため、携帯用スタンド１を持ち運ぶ間、第１の支持部材２０および第２の支持部材３０の積み重ね状態を容易に維持することができる。
【００１８】
携帯用スタンド１の使用時には、第１の支持部材２０を引き起こして、第１の湾曲部２２，２２を第１の挿通部１２，１２に通過させると共に、第２の支持部材３０を引き出して、第２の湾曲部３２，３２を第２の挿通部１４，１４に通過させる。第１の湾曲部２２，２２および第２の湾曲部３２，３２は、移動方向に沿って湾曲しているため、第１の支持部材２０および第２の支持部材３０は、図１に示すようにベース部材１０の両側に起立した状態になり、第１の支持部材２０および第２の支持部材３０によって、図１に二点鎖線で示す自転車の車輪５０の一部を収容可能な枠体が構成される。このように、簡単な操作によって車輪５０の収容部を形成した後、ベース部材１０の基部１６および第１の支持部材２０の基部２６を接地させるだけで自転車を支持することができるので、作業性を良好にすることができる。更に、本実施形態の携帯用スタンド１は、上記のように自転車に取り付けることなく使用できるため、第１の支持部材２０および第２の支持部材３０に車輪５０を収容可能な種々の大きさ・形状の自転車を支持することができ、汎用性にも優れている。図３は、携帯用スタンド１を不使用状態から使用状態に展開するときのベース部材１０、第１の支持部材２０および第２の支持部材３０の動作を示す側面図である。動作の理解を容易にするため、図３においては保持部材１８を破線で示している。
【００１９】
第１の支持部材２０および第２の支持部材３０による車輪の収容を容易且つ確実にするため、ベース部材１０のＵ字状の両端部には、図１および図２に示すように、斜め下方に向けて湾曲する湾曲部１９，１９が形成されると共に、第２の挿通部１４，１４が第１の挿通部１２，１２よりも両端近くに配置されており、更に、第１の支持部材２０は、基部２６が第１の湾曲部２２，２２とは反対側に湾曲している。また、使用時の接地面積を増大させて自転車を安定して支持することができるように、ベース部材１０の基部１６は湾曲部１９，１９と反対側に湾曲し、第２の支持部材３０の基部３６は第２の湾曲部３２，３２と反対側に湾曲している。このように、ベース部材１０、第１の支持部材２０および第２の支持部材３０は、Ｕ字状の基部と両端部とが反対側に湾曲するという基本構成において共通するため、量産性にも優れている。なお、本実施形態の携帯用スタンド１は、ベース部材１０と第２の支持部材３０とを接地させて使用するが、ベース部材１０と第１の支持部材２０とを接地して使用する構成にすることも可能である。
【００２０】
以上、本発明の一実施形態について詳述したが、本発明の具体的な態様は上記実施形態に限定されない。例えば、本実施形態においては、ベース部材１０、第１の支持部材２０および第２の支持部材３０をいずれもＵ字状部材としているが、形状は特に限定されるものではない。一例として、第１の支持部材２０および第２の支持部材３０が湾曲部を有する板材であってもよく、第１の支持部材２０および第２の支持部材３０を湾曲部の形状に沿ってスライドさせて、ベース部材１０の両側にそれぞれ起立させる構成にすることも可能である。
【００２１】
また、本実施形態においては、自転車用のスタンドを例に説明したが、第１の支持部材２０および第２の支持部材３０によって支持される被支持部は、自転車以外にゴルフクラブや釣竿など自立が困難な他の物体であってもよく、被支持部の形状に合わせて第１の支持部材２０および第２の支持部材３０の表面に一または複数の溝部、スリット、突部などを適宜形成することで、それぞれの用途に適したものとすることができる。図４は、携帯用スタンド１に釣竿立てに使用する場合の一例を示しており、釣竿６０を斜めに立て掛けることができる。
【符号の説明】
【００２２】
１  携帯用スタンド
１０  ベース部材
１２  第１の挿通部
１４  第２の挿通部
１８  保持部材
２０  第１の支持部材
２２  第１の湾曲部
３０  第２の支持部材
３２  第２の湾曲部
【図１】
0003174790.tif 000003
【図２】
0003174790.tif 000004
【図３】
0003174790.tif 000005
【図４】
0003174790.tif 000006